(57)【要約】【課題】  インターネット上での取引の煩わしさを解消し、取引の時間を短縮し、消費者の取引する意欲を低下させないシステムを提供する。【解決手段】  ＷＥＢサイトを用いた仲介及び取引システム、それを用いた方法において、仲介プラットフォームは、第１インターネット消費者が提供された第１参考価格により自ら第１価格を定めると、第２インターネット消費者が提供された第２商品資料及びその個人が第２価格を定めることを設定し、第１商品資料の実物と第２商品の実物との交換の取引を行う。また、商品評価するプラットフォームは直接インターネットで予め設定した著名なショッピングページ或いはオークションページにて近似した商品を選択し、商品重要率の比較平均に基づき、仲介待ち商品についての見積価格を算出できる。それはインターネット消費者に商品取引を行う際に自ら参考価格を定めることが出来ることを提供する。【選択図】      図２
2005100406.tif 000002
【特許請求の範囲】
【請求項１】
商品仲介するプラットフォームにおいて、第１インターネット消費者が与えた仲介待ち第１商品資料を受け取り、
価格評価するプラットフォームにおいて、第１商品資料の第１参考価格を提供し、
データーベースにおいて第１商品資料及び第１参考価格を記録し、
仲介プラットフォームは、第１インターネット消費者が提供された第１参考価格により自ら第１価格を定め、第２インターネット消費者が提供された第２商品資料及び自ら第２価格を定めることを設定し、該当する第１商品資料の実物と該当する第２商品の実物との物品交換の取引を行うことを特徴とするＷＥＢサイトを用いた仲介及び取引システム。
【請求項２】
データーベースに第２商品資料及び定められた第２商品価格を記録することを特徴とする請求項１に記載のＷＥＢサイトを用いた仲介及び取引システム。
【請求項３】
第１インターネット消費者が提供した仲介待ち第１商品資料を受け取り、第１商品資料の第１商品参考価格を提供し、データーベースに第１商品資料及び第１商品参考価格を記録し、
第１インターネット消費者が第１参考価格により自ら定めた第１価格を設定し、第２インターネット消費者が提供した第２商品資料及び自ら定めた第２価格で、第１商品の実物と第２商品の実物との物品交換の取引を行うことを特徴とするＷＥＢサイトを用いた仲介及び取引システム。
【請求項４】
第２価格を定めた後、第２商品資料及び定めた第２価格を該当データーベースにストレージすることを特徴とする請求項３に記載のＷＥＢサイトを用いた仲介及び取引システム。
【請求項５】
該当する第１参考価格として、数ある第１商品の現在価値を選択し、商品重要率の価格平均に基づき、第１参考価格を算出することを特徴とする請求項３に記載のＷＥＢサイトを用いた仲介及び取引システム。
【請求項６】
仲介プラットフォームにおいて、第１インターネット消費者が提供した仲介待ち第１商品資料を受け取ると、
データーベースにおいて、該当第１商品資料を記録し、
該当する仲介プラットフォームは、第１インターネット消費者が提供された第１参考価格により自ら第１価格を定め、第２インターネット消費者が提供された第２商品資料及び自ら第２価格を定めることを設定し、該当する第１商品資料の実物と該当する第２商品の実物との物品交換の取引を行うことを特徴とするＷＥＢサイトを用いた仲介及び取引システム。
【請求項７】
該当するデーターベースにおいて、第２商品資料及び定められた第２価格を記録することを特徴とする請求項６に記載のＷＥＢサイトを用いた仲介及び取引方法。
【請求項８】
第１インターネット消費者が提供した仲介待ち第１商品資料を受け取り、
第１商品資料を記録し、
第１インターネット消費者が自ら定めた第１価格が設定され、第２インターネット消費者が与えた第２商品資料及び自ら定めた第２価格で、第１商品資料の実物と第２商品資料の実物との物品交換の取引を行うこと特徴とするＷＥＢサイトを用いた仲介及び取引方法。
【請求項９】
自ら第２価格を定めた後、第２商品資料及び定められた第２価格をデーターベースにストレージすることを特徴とする請求項８に記載のＷＥＢサイトを用いた仲介及び取引方法。
【請求項１０】
サーバー装置において、第１インターネット消費者が提供した仲介待ち商品の第１商品資料を受け取り、第１商品資料により第１参考価格を提供し、
データーベースにおいて、該当サーバー装置と連結し、第１商品資料及び第１参考価格を記録し、
該当するサーバー装置は、第１インターネット消費者がその第１参考価格により自ら第１価格を設定し、第２インターネット消費者が提供した第２商品情報及び自ら定めた第２商品価格で、第１商品資料の実物と第２商品資料の実物との物品交換の取引を行うこと特徴とするＷＥＢサイトを用いた仲介及び取引方法。
【請求項１１】
該当データーベースにおいて、第２商品資料及び定められた第２価格を記録することを特徴とする請求項１０に記載のＷＥＢサイトを用いた仲介及び取引方法。
【請求項１２】
サーバー装置において、第１インターネット消費者が提供した仲介待ち商品の第１商品資料を受け取ると、第１商品資料により第１参考価格を提供し、
データーベースにおいて、該当するサーバー装置と連結し、第１商品資料及び第１参考価格を記録し、
該当サーバー装置は、第１インターネット消費者がその第１参考価格により自ら第１価格を設定し、第２インターネット消費者が提供した第２商品情報及び自ら定めた第２商品価格で、第１商品資料の実物と第２商品資料の実物との物品交換の取引を行うこと特徴とするＷＥＢサイトを用いた仲介及び取引方法。
【請求項１３】
該当するデーターベースにおいて、第２商品資料及び定められた第２価格を記録することを特徴とする請求項１２に記載のＷＥＢサイトを用いた仲介及び取引方法。
【請求項１４】
サーバー装置において、第１インターネット消費者が提供した仲介待ち商品の第１商品資料を受け取ると、第１商品資料により第１参考価格を提供し、
データーベースにおいて、該当するサーバー装置と連結し、第１商品資料及び第１参考価格を記録し、
該当サーバー装置は、第１インターネット消費者がその第１参考価格により自ら第１価格を設定し、第２インターネット消費者が提供した第２商品情報及び自ら定めた第２商品価格で、第１商品資料の実物と第２商品資料の実物との物品交換の取引を行うこと特徴とするＷＥＢサイトを用いた仲介及び取引方法。
【請求項１５】
自ら第２価格を定めた後、第２商品資料及び定められた第２価格をデーターベースにストレージすることを特徴とする請求項１４に記載のＷＥＢサイトを用いた仲介及び取引方法。
【請求項１６】
数ある第１商品の現在価値を選択し、商品重要率の比較平均に基づき、第１参考価格価格を算出することを特徴とする請求項１４に記載のＷＥＢサイトを用いた仲介及び取引方法。
【請求項１７】
数ある第２商品の現在価値を選択し、商品重要率の比較平均に基づき、第２参考価格価格を算出することを特徴とする請求項１４に記載のＷＥＢサイトを用いた仲介及び取引方法。
【発明の詳細な説明】
【技術分野】
【０００１】
本発明は、ｗｅｂサイトを用いた仲介及び取引システムと、それを用いた方法に関し、特に、第１インターネット消費者がインターネットにて第１商品情報を与え、及びその個人が商品価格を定めると、自動的に、第２インターネット消費者が第２商品情報を提供するものに対し、ｗｅｂサイトを用いた仲介及び取引を行うに関する。
【背景技術】
【０００２】
従来の取引は市場において物品を相互交換するという方法であったが、その取引方法は商品の幅が広く、例えば、昔の物々交換の一例として一匹の牛を幾つかの食器に交換でき、又、それが病気の牛である事を隠し、金の器と交換することもできた。そのような取引では、商品間の価値鑑定がしにくいため、常に不公正な取引が生じる場合があった。しかし、現代における人間間の取引方法が貨幣を使用する時代となるに伴い、すべての商品価値は貨幣で換算され、貨幣で取引される。
【０００３】
上記の貨幣で取引する方法は、現在社会におけるすべての人間がこれを適用している。情報時代及びインターネット情報社会に突入した現在では、すべての電子取引は、貨幣での取引をするための手段である。
【０００４】
また、現在の取引は、インターネット及びハイテク産業の活発な発展とともに、電子取引を開始して以来、伝統的なビジネスにある程度の変化を生じさせている。その中でＣ２Ｃ（Ｃｕｓｔｏｍｅｒ  ｔｏ  Ｃｕｓｔｏｍｅｒ）経営方式が代表とされている。Ｃ２Ｃ経営方式というのは、個人の買い手と売り手を結び合わせ、オンライン上で大量の商品の取引を行うことである、例えば、一番大きなオークションページはｅ−Ｂａｙ及びｙａｈｏｏである。
【０００５】
図１を参照したい。そのフローチャートはオンラインで取引する周知の方法を示している。それは、インターネット購買者１０がインターネットを利用し、必要なオークションページ２０を立ち上げ、該当オークションページ２０の会員になった後に、オークションページ２０から提供される購買ページ３０での捜索により需要商品を探し４０、オークションページ２０の捜索条件に基づき、一連に相同したシリーズの捜索商品と、該当オークションページ２０にて商品に関する図面、仕様、又目前にオークションした最高金額とが示されると、該当インターネット購買者１０はインターネットの内容をブラウザすること５０を通して需要に適った妥当な希望の商品を選んで、商品をオークション６０し、その終了後、オークションページ２０上で高価格入札７０のルールにより、該当インターネット購買者１０及びインターネット販売者８０に取引成功の旨のメッセージが発信される。金銭及び商品交換を行うためである。
【発明の開示】
【発明が解決しようとする課題】
【０００６】
上記のオークションページにて、常に消費者は買い手と売り手を兼ねねばならないことを迫られる。例えば、売り手は商品のオークションにより金銭を獲得してから、買い手となって需要な商品を購買し、またその消費者は取引を繰り返さなければならないので、取引を完成させるまでの時間が長くなる。そのようなインターネット上での取引は煩わしく、また取引の時間が延び、消費者がオンライン上で取引する意欲を低下させる傾向にある。
【０００７】
貨幣での取引の目的は、その貨幣で商品価値を計算することである。言い換えると、人間は商品を貨幣に交換し、そして獲得した貨幣を他の商品に交換する。即ち、人間は、現在においても、祖先から終始一貫して物々交換による取引を継続している。
【課題を解決するための手段】
【０００８】
上記の論点に基づき、本発明は、インターネットを利用し、従来のインターネット取引と異なるシステムを進行させる。それにより、上記の問題に対し、Ｗｅｂサイトを用いた仲介及び取引システム、それを用いた方法を提供する。それは常にオンラインでの取引のデメリットを改善し、人間が物々交換を行う行為を継続させるだけではなく、本システムの評価プラットフォームが、該当する仲介商品についての公正価格を消費者に提供する。
【０００９】
本発明者は、関連製品の研究、開発及び販売に長年にわたり携わった実務経験に基づき、改良する考えに至り、発明者個人の専門的知識や多面的においての研究、設計、専門的な探究により、ついにｗｅｂサイトを用いた仲介及び取引システム、それを用いた方法を成り遂げ、上述の問題を解決することができた。
【００１０】
上記の主な目的を達成するため、本発明では、ｗｅｂサイトを用いた仲介及び取引システム、それを用いた方法は、プラットフォームにおいて、第１インターネット消費者がインターネットにて第１商品情報を与え、又その個人が商品価格を定め、第２インターネット消費者が提供した第２商品情報に対し、自動的に仲介及び取引するサービスを提供する。
【００１１】
上記の次の目的を達成するため、本発明では、ｗｅｂサイトを用いた仲介及び取引システム、それを用いた方法において、商品を評価するプラットフォームは、直接インターネットで予め設定した著名なショッピングページ或いはオークションページにて近似した商品を選択し、商品重要率の比較平均に基づき、仲介待ち商品についての見積価格を算出し、及びその商品を減価償却することを考える。これはインターネット消費者に、商品取引を行う際に、自ら価格を定めることが出来ることを提供する。
【００１２】
上記の外の目的を達成するため、本発明では、直接仲介待ち商品を提供するため、インターネット消費者がその需要に対し、迅速に取引を完了させる事が出来る。即ち、インターネット消費者は、本システムにおいて、オンラインで商品を仲介する時には、その仲介システムは価格を評価するプラットフォームから提供された見積の基準に基づき、商品を仲介又取引を行うので、煩わしい商品価格の比較プロセスが減少され、取引にかかる時間が有効的に減少される。
【００１３】
上記の外の目的を達成するため、本発明では、公正に商品を評価する方法を提供し、価格を評価するプラットフォームに基づき、直接インターネットで予め設定した著名なショッピングページ或いはオークションページにて近似した商品を選択、且つ迅速に公正に該当する仲介待ち商品の価格を公表する。
【発明の効果】
【００１４】
上記の目的及びメリットを達成するため、本発明では、ｗｅｂサイトを用いた仲介及び取引システム、それを用いた方法は、プラットフォームにおいて、第１インターネット消費者がインターネットにて第１商品情報を与え、及びその個人が商品価格を定め、第２インターネット消費者が提供した第２商品情報に対し、自動的に仲介及び取引を行うと、
価格を評価するプラットフォームは、直接インターネットで予め設定した著名なショッピングページ或いはオークションページにて近似した商品を選択し、商品重要率の比較平均に基づき、仲介待ち商品についての見積価格を算出し、又該当する仲介待ち商品の価格を定める際の参考価格を提供する。
【００１５】
消費者の需要に対し、迅速に取引を完了させる事ができ、煩わしい商品価格の比較のプロセスが減少されるため、取引にかかる時間が有効的に減少し、及び公正に商品価格を公表することにより、本発明のインターネットを用いた仲介及び取引するシステム、それを用いた方法は全てインターネット上にて実行することが可能である。
【発明を実施するための最良の形態】
【００１６】
以下、本発明の実施例について図面を参照しながら詳細に説明する。
【００１７】
本発明のサーバー装置は、仲介プラットフォームとして、オンライン上で第１インターネット消費者から提供された仲介待ち商品につき、商品の名称、購買時間、購買金額、現在の価値（個人で定められる）、及び商品の特徴を述べ、例えば、商品の図面などを表示することを特徴としている。
【００１８】
インターネット消費者が上記の動作をクリックすると、本システムの仲介プラットフォームが、本発明の価格を評価する評価プラットフォームへ通知し、又直接インターネットで予め設定した著名なショッピングページ及びオークションページにて近似した商品を選択する。本発明の実施例によると、近似した商品１００件を選択した後、仲介待ち商品についての見積価格を算出する。そのシステムが商品価格レンジを提供し、インターネット消費者に商品取引の際の参考価格を提示する。その他、上記の見積価格につき、商品購入完了に費やした時間の長さに伴って、ディスカウントにより見積価格を減価償却させることができる。
【００１９】
上記の見積価格を算出した後、本システムは、すべての仲介待ち商品につき、商品価値レンジを公開し、インターネット消費者はこれを商品取引を行う際に参考とする。
【００２０】
図２は、ｗｅｂサイトを用いた仲介及び取引システムの構成図である。Ｗｅｂサイトシステム１が、オンラインショッピングにおいて、取引するプラットフォームを提供する。
【００２１】
第１インターネット消費者４がインターネットを利用し、オンラインで取引を行うとき、第１インターネット消費者４はインターネットを利用してオークションページにインプットし、ｗｅｂサイトシステム１と連結し、オークションページ１１に入る。サーバー装置１２に基づき、第１インターネット消費者は、少なくとも第１商品資料を与え、又インターネットにてその個人が第１価格を定めると同時に、本システムの仲介プラットフォーム２と連結した後、自動的に第２インターネット消費者５から提供された第２商品資料により、第１商品資料及び第２商品資料の実物を物品交換する取引を行う。インターネット消費者が上記の動作をクリックした際に、本システムの仲介プラットフォーム２が評価プラットフォーム３に通知し、直接インターネットで予め設定した著名なショッピングページ及びオークションページにて近似した商品を選択し、対比し、更に商品重要率の比較平均に基づき、仲介待ち商品についての見積価格を算出し、インターネット消費者はその個人が価格を定める際に、商品取引としての参考価格を提供する。
【００２２】
上記のサーバー装置１２は、第１インターネット消費者がインターネットにて第１商品情報を与え、及びその個人が第１商品価格を定めると、
第２インターネット消費者が提供した第２商品情報、及びその個人が定めた第２商品価格を受け、
該当第１インターネット消費者の第１商品資料及び第２インターネット消費者の第２商品資料に対し、インターネットで予め設定した著名なショッピングページ或いはオークションページにて近似した商品の対比を行い、数ある第１商品の現在価値又数ある第２商品の現在の価値を選択し、商品重要率の比較平均に基づき、第１参考価格及び第２参考価格を算出することができる。
【００２３】
該当サーバー装置１２は、第１インターネット消費者４及び第２インターネット消費者５がｗｅｂサイトシステム１において商品を仲介、取引、評価するための処理をする。
【００２４】
データーベース１３は、第１インターネット消費者４及び第２インターネット消費者５に関する資料と、第１商品及び第２商品の資料と、その個人が定めた第１商品価格及第２商品価格と、第１商品及び第２商品の参考価格をストレージする。
【００２５】
本システムは、仲介プラットフォーム２及び評価プラットフォーム３を備えており、
仲介プラットフォーム２において、第１インターネット消費者４がオークションページ１１を立ち上げ与えた仲介待ち商品及びインターネットにてその個人が定めた価格に基づき、データーベースの中で商品価値を対比し、取引をする可能性がある全ての商品をリストアップし、自動的に第２インターネット消費者５に商品を仲介又取引し、
評価プラットフォーム３において、第１インターネット消費者４及び第２インターネット消費者５がオークションページ１１を立ち上げ、第１商品資料及び第２商品資料をインターネットにて与えると、サーバー１２は直接インターネットで予め設定した著名なショッピングページ及びオークションページに連結し、近似した商品を選択及び対比し、第１参考価格及び第２参考価格を算出することができる。例えば、Ｐ４級のコンピューターの価格を定めるため、光華市場（台湾の台北では著名なコンピューターに関連するマーケット）、或いは著名なコンピューターを仕入れするインターネット市場にてＰ４級のコンピューターに関する資料が選択され、減価償却後、商品重要率の価格平均に基づき、参考価格を算出し、インターネット消費者に自ら価格を定める際の参考価格として提供することができる。
【００２６】
図３に示すのは、ｗｅｂサイトを用いた仲介及び取引システムを用いた方法のフローチャート図である。第１インターネット消費者は某ページを立ち上げ、オークションページのアドレスにインプットする（ステップ１０）。オークションページにて、第１インターネット消費者は仲介待ち商品及び自ら定めた商品の第１価格を与えて（ステップ１１）データーベースに入力すると、商品を取引する可能性がある全ての第２商品が選択される（ステップ１２）。仲介待ち商品は商品を取引する可能性がある全ての第２商品をリストアップし（ステップ１４）、第１商品資料と第２商品資料との実物で物品の交換取引を行うことができる（ステップ１５）。
【００２７】
本システムは、評価プラットフォーム３において仲介待ち商品に対し、公正な価格評価をすることにより、第１インターネット消費者４及び第２インターネット消費者５の個人が価格を定める際に、参考価格を提供することができる。
【００２８】
図４に示すのは、商品を評価するフローチャートである。以下、本発明は、図４に示されたｗｅｂサイトを用いた仲介又取引システム、それを用いた方法を採用することができる。第１インターネット消費者及び第２インターネット消費者は某ページを立ち上げ、オークションページのアドレスにインプットする（ステップ２０）。オークションページにて第１インターネット消費者が仲介待ち第１商品資料を与え、第２インターネット消費者が仲介待ち第２商品資料を与えることができる。（ステップ２１）。サーバー装置に入り、第１及び第２商品資料にある商品について著名なショッピングページ及びオークションページに近似した商品に関する資料を選択する（ステップ２２）。近似した商品の価格及び第１、第２商品が購入完了に費やした時間の長さに伴い、減価償却を行うことができる（ステップ２３）。商品重要率の価格平均に基づき、第１及び第２の参考価格を算出することができる（ステップ２４）。第１及び第２の参考価格をデーターベースにストレージし（ステップ２５）、オークションページに公表し、インターネット消費者に自分で価格を決める時に参考価格とするものである（ステップ２６）。
【００２９】
図５Ａは、本発明ではインターネットを用いた仲介及び取引システムを用いた方法を示す図である。図に示してあるように、第１インターネット消費者４及び第２インターネット消費者５が第１商品資料及び第２商品資料により仲介プラットフォーム２の商品の仲介を実行すると、
仲介プラットフォーム２は商品を仲介するプロセス２１を利用し、第１及び第２商品資料を受けた後、評価プラットフォーム３へ価格評価することを要求し、商品価格評価のプロセス３１を通して第１および第２の参考価格を提供し、それをデーターベース１３にストレージし、
サーバー装置１２は価格を公表するプロセス１２１を利用し、データーベースに第１及び第２の商品についての参考価格を選択した後、第１及び第２の商品についての参考価格を公表し、且つそれを個別に第１インターネット消費者及び第２インターネット消費者に発信し、その個人が商品の価格を定める際の参考とするものである。
【００３０】
図５Ｂは、ＷＥＢサイトを用いた仲介及び取引システムを示す図である。以下、本発明は、図に示したように、第１インターネット消費者４が与えた第１商品資料、及びその個人が定めた商品価格が仲介のプラットフォーム２に転送され、仲介プラットフォーム２は商品を仲介する処理プロセス２１を利用し、商品を仲介する要求がデーターベース１３に発信され、第１商品資料とデーターベースの中の第２商品資料との対比終了後、第１商品に該当する商品情報が該当商品を仲介するプロセス２１に転送され、それが商品の取引を行い、商品の取引をした後、該当第２インターネット消費者５へ取引成功の旨のメッセージを発信し、取引プロセス１２２を利用し、該当インターネット消費者４と取引を行うことができる。
【００３１】
以上、説明したシステム、及び方法によれば、仲介プラットフォームにおいて、第１インターネット消費者がインターネットにて仲介待ちの第１商品情報を与え、商品を取引する可能性がある全ての第２商品資料がリストアップされ、第２インターネット消費者が提供した第２商品資料に対し、自動的に、第１商品資料と第２商品資料との実物の物品の交換の取引を行えるので、インターネット消費者の需要は迅速に取引を完了させる事ができ、又煩わしい商品価格の比較のプロセスが減少されるため、取引にかかる時間が有効的に減少されるようになる。該当する評価プラットフォームは第１商品及び第２商品の資料に基づき、インターネットで予め設定した著名なショッピングページ或いはオークションページにおける近似した商品の価格を選択し、第１及び第２商品の購入完了に費やした時間の長さに伴って、ディスカウントにより減価償却し、公正に商品価格を公表し、それをインターネット消費者に商品取引を行う際の参考価格として提供する。
【図面の簡単な説明】
【００３２】
【図１】オンライン上での取引についての周知の方法のフローチャート図である。
【図２】本発明の一実施例を示すＷＥＢサイトを用いた仲介及び取引するシステムの構成図である。
【図３】本発明の一実施例を示す、商品を仲介又取引するフローチャート図である。
【図４】本発明の一実施例を示す、商品評価をするフローチャートである。
【図５Ａ】本発明の一実施例を示すＷＥＢサイトを用いた仲介及び取引システム、それを用いた方法を示す図である。
【図５Ｂ】本発明の他の一実施例を示すＷＥＢサイトを用いた仲介及び取引システム、それを用いた方法を示す図である。
【符号の説明】
【００３３】
１    ＷＥＢサイトシステム
１１    オークションページ
１２    サーバー装置
１２１    価格公表する処理プロセス
１２２    取引する処理プロセス
１３    データーベース
２    仲介プラットフォーム
２１    商品仲介する処理プロセス
３    評価プラットフォーム
３１    商品評価する処理プロセス
４    第１インターネット消費者
５    第２インターネット消費者
【図１】
2005100406.tif 000003
【図２】
2005100406.tif 000004
【図３】
2005100406.tif 000005
【図４】
2005100406.tif 000006
【図５Ａ】
2005100406.tif 000007
【図５Ｂ】
2005100406.tif 000008